(57)【要約】      （修正有）【課題】ヒンジ部の磁石が配置される部材の材料選択の自由度を高めるとともに、磁石の小型化を可能してヒンジ部ひいては電子機器の小型化を図る仕組みを提供する。【解決手段】機器本体に対してヒンジ部４０１を介して回転可能に支持される表示ユニットと、磁石４０８、及び磁気センサ４０９から構成され、表示ユニットの回転状態を検出する検出手段と、検出結果に基づいて表示ユニットの表示画像の向きを変更する制御手段とを備える。機器本体に取り付けられ、表示ユニットを向く側が開放される切り欠き部４１４が形成されたベース部材４０４と、ベース部材４０４に対して回転軸４０５を介して表示ユニットとともに回転可能に支持される支持部材４０７とを有し、磁石４０８が切り欠き部４１４に配置され、磁気センサ４０９が支持部材４０７の側に配置される。【選択図】図６
2014123039.tif 000002
【特許請求の範囲】
【請求項１】
機器本体と、
前記機器本体に対してヒンジ部を介して回転可能に支持される表示ユニットと、
磁石、及び磁気センサから構成され、前記磁石と前記磁気センサとの相対位置に基づき前記表示ユニットの回転状態を検出する検出手段と、
前記検出手段の検出結果に基づいて前記表示ユニットに表示された画像の向きを変更する制御手段と、を備え、
前記ヒンジ部は、前記機器本体に取り付けられ、前記表示ユニットを向く側が開放される切り欠き部が形成されたベース部材と、前記表示ユニットが固定され、前記ベース部材に対して回転軸を介して前記表示ユニットとともに回転可能に支持される支持部材と、を有し、
前記検出手段を構成する前記磁石及び前記磁気センサのうちの一方が前記ベース部材の前記切り欠き部に配置されるとともに、前記磁石及び前記磁気センサのうちの他方が前記支持部材の側に配置され、
前記表示ユニットは、前記磁気センサと前記磁石とが接近する位置と離間する位置との間を移動することを特徴とする電子機器。
【請求項２】
前記磁石が前記ベース部材の前記切り欠き部に配置され、前記磁気センサが前記支持部材に配置されることを特徴とする請求項１に記載の電子機器。
【請求項３】
前記ベース部材を覆うカバー部材を備え、
前記カバー部材には、前記磁石を付勢した状態で保持する磁石保持部が設けられることを特徴とする請求項２に記載の電子機器。
【請求項４】
前記切り欠き部は、前記磁石と前記磁気センサが接近する方向に開放されていることを特徴とする請求項１乃至３のいずれか一項に記載の電子機器。
【請求項５】
前記ベース部材は、強磁性体で形成されることを特徴とする請求項１乃至４のいずれか一項に記載の電子機器。
【請求項６】
前記機器本体は、被写体を撮像するカメラ部を有することを特徴とする請求項１乃至５のいずれか一項に記載の電子機器。
【発明の詳細な説明】
【技術分野】
【０００１】
本発明は、例えばデジタルカメラやデジタルビデオカメラ等の撮像装置や携帯電話機等の電子機器に関する。
【背景技術】
【０００２】
デジタルカメラやデジタルビデオカメラ等の撮像装置や携帯電話機等の電子機器では、機器本体に対して、表示ユニットがヒンジ部を介して開閉方向に回動可能に支持されるとともに、開き状態で回転可能に支持されるものがある。
【０００３】
従来のこの種の電子機器では、機器本体に対する表示ユニットの回転状態をヒンジ部に取り付けた磁石と磁気センサの相対位置に基づき検出する技術が開示されている（特許文献１）。
【先行技術文献】
【特許文献】
【０００４】
【特許文献１】特許第４６９７２５６号公報
【発明の概要】
【発明が解決しようとする課題】
【０００５】
しかし、上記特許文献１では、ヒンジ部を構成する略コ字状の部材に磁石が接触して取り付けられるため、かかる部材は非磁性である必要があり、材料選択の自由度が低下する。また、磁石は、略コ字状の部材の内側面に取り付けられるため、磁気センサとの距離が遠くなる。このため、磁気検出に必要な磁束を確保するために磁石が大型化してヒンジ部ひいては電子機器の大型化やコストアップを招く問題がある。
【０００６】
そこで、本発明は、ヒンジ部の磁石が配置される部材の材料選択の自由度を高めるとともに、磁石の小型化を可能してヒンジ部ひいては電子機器の小型化を図る仕組みを提供することを目的とする。
【課題を解決するための手段】
【０００７】
上記目的を達成するために、本発明の電子機器は、機器本体と、前記機器本体に対してヒンジ部を介して回転可能に支持される表示ユニットと、磁石、及び磁気センサから構成され、前記磁石と前記磁気センサとの相対位置に基づき前記表示ユニットの回転状態を検出する検出手段と、前記検出手段の検出結果に基づいて前記表示ユニットに表示された画像の向きを変更する制御手段と、を備え、前記ヒンジ部は、前記機器本体に取り付けられ、前記表示ユニットを向く側が開放される切り欠き部が形成されたベース部材と、前記表示ユニットが固定され、前記ベース部材に対して回転軸を介して前記表示ユニットとともに回転可能に支持される支持部材と、を有し、前記検出手段を構成する前記磁石及び前記磁気センサのうちの一方が前記ベース部材の前記切り欠き部に配置されるとともに、前記磁石及び前記磁気センサのうちの他方が前記支持部材の側に配置され、前記表示ユニットは、前記磁気センサと前記磁石とが接近する位置と離間する位置との間を移動することを特徴とする。
【発明の効果】
【０００８】
本発明によれば、ヒンジ部の磁石が配置される部材の材料選択の自由度を高めることができるとともに、磁石の小型化を可能してヒンジ部ひいては電子機器の小型化を図ることができる。
【図面の簡単な説明】
【０００９】
【図１】本発明の電子機器の実施形態の一例であるデジタルビデオカメラの制御系の概略ブロック図である。
【図２】（ａ）は本実施形態に係るデジタルビデオカメラを正面側から見た外観斜視図である。（ｂ）は本実施形態に係るデジタルビデオカメラのカメラ本体に対して表示ユニットを開いた状態を示す外観斜視図である。
【図３】（ａ）は図２（ｂ）に示すデジタルビデオカメラを背面側から見た外観斜視図である。（ｂ）は本実施形態に係るデジタルビデオカメラのカメラ本体に対して表示ユニットを反転収納した状態を示す外観斜視図である。
【図４】表示ユニットの開閉状態及び回転状態に応じたＣＰＵによる画像の向きの変更制御について説明するためのフローチャート図である。
【図５】（ａ）は表示ユニットの外観斜視図である。（ｂ）は（ａ）に示す状態からヒンジ部の内側カバー及び外側カバーを取り外した状態を示す外観斜視図である。
【図６】図５（ｂ）に示す状態から表示ユニットの裏側カバーを取り外した状態を示す外観斜視図である。
【図７】図５（ｂ）に示す状態での表示ユニットの分解斜視図である。
【図８】（ａ）は外側カバーを内面側から見た斜視図である。（ｂ）は外側カバーを内面側から見た平面図である。
【図９】（ａ）は内側カバーを内面側から見た斜視図である。（ｂ）は内側カバーを内面側から見た平面図である。
【図１０】外側カバーの磁石保持部に磁石を取り付けた状態を示す図である。
【図１１】（ａ）はヒンジ機構に内側カバーを取り付けた状態を示す斜視図である。（ｂ）はヒンジ機構に内側カバー、外側カバー、及び磁石を取り付けた状態を示す斜視図である。
【図１２】図１１（ｂ）のＣ−Ｃ線断面図である。
【図１３】図１１（ｂ）のＤ−Ｄ線断面図である。
【図１４】（ａ）は表示ユニットがカメラ本体に対して図２（ｂ）に示す開き状態にあるときのヒンジ機構の斜視図である。（ｂ）は（ａ）の側面図である。
【図１５】（ａ）は表示ユニットが図１４（ａ）に示す状態から矢印Ｇ方向に約１２０°回転したときのヒンジ機構の斜視図である。（ｂ）は（ａ）に示したヒンジ機構の側面図である。
【図１６】（ａ）は表示ユニットが図１５（ａ）に示す状態から更に回転して約１８０°回転したときのヒンジ機構の斜視図である。（ｂ）は（ａ）に示したヒンジ機構の側面図である。
【発明を実施するための形態】
【００１０】
以下、本発明の実施形態の一例を図面を参照して説明する。
【００１１】
図１は、本発明の電子機器の実施形態の一例であるデジタルビデオカメラの制御系の概略ブロック図である。
【００１２】
図１において、ＣＰＵ１０９は、プログラム・データ記憶部１１０からプログラムを読み込み、読み込まれたプログラムに従ってデジタルビデオカメラ全体の動作を制御する。プログラム・データ記憶部１１０から読み込まれたプログラムは、ＣＰＵ１０９に複数のタスクを並列に実行させるための機能を備えている。ＣＰＵ１０９の制御によってこのプログラムを実行させると、モード制御タスク、カメラ制御タスク、レコーダ制御タスク、及び表示制御タスクが動作する。また、一次記憶部１０３の一部は、ＣＰＵ１０９のワーク領域として機能する。このワーク領域として機能する一次記憶部１０３の一部は、動画用フレームバッファ、及びＯＳＤ用フレームバッファを提供する。
【００１３】
カメラ部１０１は、被写体光を結像させるための撮影レンズ、撮影レンズによって結像された被写体像を光電変換する撮像素子、撮像素子を駆動する回路などを備えている。撮像素子は、被写体像を光電変換することによりアナログ映像信号を生成する。
【００１４】
映像処理部１０２は、カメラ部１０１から出力されるアナログ映像信号をデジタル信号に変換し、所定の信号処理を施して動画データを生成する。カメラ部１０１及び映像処理部１０２の動作は、ＣＰＵ１０９が実行する上述したカメラ制御タスクによって制御される。
【００１５】
エンコーダ・デコーダ部１０４は、映像処理部１０２からの動画データを符号化する。エンコーダ・デコーダ部１０４によって符号化された動画データは、一次記憶部１０３に一旦記憶されたのち、付随する管理データとともに動画記憶部１０５に記憶される。動画記憶部１０５は、ハードディスクやフラッシュメモリなどの内蔵メモリや、メモリーカードなどの着脱可能な記録媒体からなる。
【００１６】
動画再生時は、動画記憶部１０５から読みだされた符号化された画像データが一次記憶部１０３を介してエンコーダ・デコーダ部１０４で復号化され、再び一次記憶部１０３の動画用フレームバッファに展開される。エンコーダ・デコーダ部１０４、及び動画記憶部１０５の制御は、ＣＰＵ１０９が実行する上述したレコーダ制御タスクによって制御される。
【００１７】
動画記憶部１０５から読みだされた管理データは、ＯＳＤ（Ｏｎ  Ｓｃｒｅｅｎ  Ｄｉｓｐｌａｙ）データ、すなわち、撮影画像もしくは再生画像に重畳して表示される文字やＧＵＩ（Ｇｒａｐｈｉｃａｌ  Ｕｓｅｒ  Ｉｎｔｅｒｆａｃｅ）の生成に利用される。そして、生成されたＯＳＤデータは、一次記憶部１０３のＯＳＤ用フレームバッファに描画される。
【００１８】
表示ユニット２０１には、タッチパネル１０８及びＬＣＤ等の表示パネル１１２が内蔵される。表示パネル１１２は、表示制御部１１１で重畳された動画用フレームバッファ、及びＯＳＤ用フレームバッファの各内容を表示する。ＯＳＤデータに関する制御、及び表示制御部１１１と表示パネル１１２の制御は、ＣＰＵ１０９が実行する上述した制御タスクによって制御される。
【００１９】
パネル状態検出部１０６は、カメラ本体２０２に対する表示ユニット２０１の図３（ａ）の軸線Ｙ回りの開閉動作及び軸線Ｘ回りの回転動作の双方を検出し、検出結果をＣＰＵ１０９に出力する。ＣＰＵ１０９は、パネル状態検出部１０６からの出力信号に基づいて表示制御部１１１を駆動し、表示パネル１１２に表示する画像の向きを変更制御する。カメラ本体２０２に設けられた操作キー１０７や、表示ユニット２０１におけるタッチパネル１０８は、いずれも操作者による操作指示を受け付けるための操作手段である。
【００２０】
図２（ａ）は、デジタルビデオカメラを正面側から見た外観斜視図である。図２（ｂ）は、デジタルビデオカメラのカメラ本体２０２に対して表示ユニット２０１を開いた状態を示す外観斜視図である。図３（ａ）は、図２（ｂ）に示すデジタルビデオカメラを背面側から見た外観斜視図である。図３（ｂ）は、デジタルビデオカメラのカメラ本体２０２に対して表示ユニット２０１を反転収納した状態を示す外観斜視図である。
【００２１】
図２及び図３に示すように、デジタルビデオカメラは表示ユニット２０１を有する。表示ユニット２０１は、カメラ部１０１を有するカメラ本体２０２と、ヒンジ部２０６を介してカメラ本体２０２に対して図３（ａ）の軸線Ｙ回りに開閉可能に支持される。ヒンジ部２０６は、後述するヒンジ機構４０１が内側カバー２０４及び外側カバー２０５によって覆われている。ここで、カメラ本体２０２は、本発明の機器本体の一例に相当する。
【００２２】
また、表示ユニット２０１は、開き状態で、図３（ａ）の軸線Ｘ回りに回転可能とされている。従って、表示ユニット２０１は、図３（ｂ）に示すように、カメラ本体２０２に対して反転させた状態で収納することも可能である。なお、表示ユニット２０１の軸線Ｙ回りの開閉状態の検出は、公知のメカニカルスイッチを用いて行うものとし、その説明は省略する。また、表示ユニット２０１の軸線Ｘ回りの回転状態の検出は、ヒンジ部２０６に配置した磁石と磁気センサとの相対位置に基づき行うものとし、これについての詳細は、後述する。
【００２３】
表示ユニット２０１には、表示パネル１１２とタッチパネル１０８とが一体に内蔵される。タッチパネル１０８は、例えば光の透過率が表示パネル１１２の表示を妨げないように構成され、表示パネル１１２の表示面の上層に設けられる。そして、タッチパネル１０８における入力座標と、表示パネル１１２の表示座標とを対応付ける。これにより、操作者が表示パネル１１２に表示された画面を直接的に操作できるＧＵＩを構成する。
【００２４】
次に、図４を参照して、表示ユニット２０１の開閉状態及び回転状態に応じたＣＰＵ１０９による画像の向きの変更制御について説明する。
【００２５】
まず、ステップＳ３０１では、ＣＰＵ１０９は、カメラ本体２０２の電源が投入されると、ステップＳ３０２に進む。
【００２６】
ステップＳ３０２では、ＣＰＵ１０９は、パネル状態検出部１０６からの出力信号に基づき表示ユニット２０１の開閉検出を行う。ステップＳ３０２において、表示ユニット２０１が開いていることを検出すると、ステップＳ３０３に進む。
【００２７】
ステップＳ３０３では、ＣＰＵ１０９は、撮影モードが再生モードかを判別する。そして、ＣＰＵ１０９は、撮影モードと判別した場合は、カメラ部１０１から得られた動画データを表示画像として選択する。そして、ステップＳ３０４に進む。また、ＣＰＵ１０９は、再生モードと判別した場合は、動画記憶部１０５から読み出した動画データを表示画像として選択する。そして、ステップＳ３０９に進む。
【００２８】
ステップＳ３０４では、ＣＰＵ１０９は、パネル状態検出部１０６からの出力信号に基づいて表示ユニット２０１の回転検出を行う。そして、ＣＰＵ１０９が表示ユニット２０１の回転を検出した場合は、ステップＳ３０５に進む。ＣＰＵ１０９が表示ユニット２０１の回転を検出しない場合は、ステップＳ３０７に進む。そして、ステップＳ３０３で選択したカメラ部１０１から得られた動画像を表示パネル１１２に表示して処理を終了する。
【００２９】
ステップＳ３０５では、ＣＰＵ１０９は、ステップＳ３０３で選択したカメラ部１０１から得られた動画像を１８０°回転させる。そして、ステップＳ３０６に進む。
【００３０】
ステップＳ３０６では、ＣＰＵ１０９は、ステップＳ３０５で１８０°回転させた動画像を反転させて、ステップＳ３０７に進む。そして、ＣＰＵ１０９は反転させた動画像を表示パネル１１２に表示して処理を終了する。
【００３１】
一方、ステップＳ３０９では、ＣＰＵ１０９は、パネル状態検出部１０６からの出力信号に基づいて表示ユニット２０１の回転検出を行う。そして、ＣＰＵ１０９が表示ユニット２０１の回転を検出した場合は、ステップＳ３１０に進む。ＣＰＵ１０９が表示ユニット２０１の回転を検出しない場合は、ステップＳ３０７に進む。そして、ＣＰＵ１０９は、ステップＳ３０３で選択した動画記憶部１０５から読み出した動画像を表示パネル１１２に表示して処理を終了する。
【００３２】
ステップＳ３１０では、ＣＰＵ１０９は、ステップＳ３０３で選択した動画記憶部１０５から読み出した動画像を１８０°回転させる。そして、ステップＳ３０７に進む。ステップＳ３０７にて、ＣＰＵ１０９は、回転させた動画像を表示パネル１１２に表示して処理を終了する。
【００３３】
以上の処理により、撮影時に被写体側に表示ユニット２０１の表示パネル１１２が向いた場合（反転した場合）は、表示パネル１１２にミラー画像が表示される。また、再生時に同方向に表示ユニット２０１の表示パネル１１２が向いた場合は、表示パネル１１２に通常の再生画像が表示される。
【００３４】
次に、図５乃至図７を参照して、表示ユニット２０１とヒンジ部２０６の構造について説明する。
【００３５】
図５（ａ）は、表示ユニット２０１の外観斜視図である。図５（ｂ）は、図５（ａ）に示す状態からヒンジ部２０６の内側カバー２０４及び外側カバー２０５を取り外した状態を示す外観斜視図である。図６は、図５（ｂ）に示す状態から表示ユニット２０１の裏側カバー４０２を取り外した状態を示す外観斜視図である。図７は、図５（ｂ）に示す状態での表示ユニット２０１の分解斜視図である。なお、図５乃至図７では、表示ユニット２０１がカメラ本体２０２に対して図２（ａ）に示す収納状態にあるときのヒンジ部２０６と表示ユニット２０１との関係を示している。
【００３６】
図５乃至図７に示すように、ヒンジ部２０６の内側カバー２０４及び外側カバー２０５の内部には、ヒンジ機構４０１が設けられている。ヒンジ機構４０１は、ベース部材４０４を有している。ベース部材４０４の両端には、軸線Ｙに沿って延びる回動軸４１３がそれぞれ固定されている。
【００３７】
ベース部材４０４の両端側の回動軸４１３の先端には、それぞれ固定部４０３ａ，４０３ｂが取り付けられている。各回動軸４１３は、固定部４０３ａ，４０３ｂに対して回転可能に支持されている。固定部４０３ａ，４０３ｂは、カメラ本体２０２にビス等により固定されている。これにより、ベース部材４０４は、カメラ本体２０２に対して回動軸４１３を中心に、すなわち、軸線Ｙ回りに回動可能とされている。
【００３８】
また、ベース部材４０４には、軸線Ｘに沿って延びる回転軸４０５が回転可能に支持されている。回転軸４０５には、支持部材４０７が固定されている。支持部材４０７には、表示ユニット２０１が一体に固定されている。これにより、表示ユニット２０１は、カメラ本体２０２に対して、軸線Ｙ回りに開閉方向に回動可能とされるとともに、開き状態で、軸線Ｘ回りに回転可能とされている。
【００３９】
なお、本実施形態では、ベース部材４０４は、強度を確保するため、強磁性体である鉄系の材料によって形成される。また、回転軸４０５も、加工精度及び強度を確保するため、強磁性体である鉄系の材料によって形成される。
【００４０】
また、ベース部材４０４には、切り欠き部４１４が形成される。切り欠き部４１４には、外側カバー２０５の後述する磁石保持部６０２が配置される。磁石保持部６０２には、磁石４０８が保持されて固定される。かかる固定状態で、磁石４０８は、軸線Ｘと直交する平面に対して支持部材４０７側にＮ極が向くように配置される。なお、本実施形態では、支持部材４０７は、磁石４０８の磁気の影響を受けないように非磁性体又は磁性の弱い材料で形成される。
【００４１】
表示ユニット２０１は、図７に示すように、タッチパネル１０８、表側カバー４１２、ＬＣＤ等の表示パネル１１２、シールド板金４１０、及び裏側カバー４０２を有する。表側カバー４１２には、タッチパネル１０８が固定される。タッチパネル１０８の裏側には、表示パネル１１２が配置される。表示パネル１１２の裏側には、表示パネル１１２を略覆うようにシールド板金４１０が配置される。シールド板金４１０は、表示パネル１１２や表示パネル１１２を駆動する不図示のドライバＩＣなどから放出される高周波ノイズを抑制する。
【００４２】
表示パネル１１２の回動軸４１３側の短辺部には、ヒンジ機構４０１の支持部材４０７が当該短辺部と略平行に配置される。支持部材４０７には、切り欠き部４１１が形成される。、磁気センサ４０９は、切り欠き部４１１によって形成される空間に磁気センサ４０９が入る様に、支持部材４０７に取り付けられている。
【００４３】
磁気センサ４０９は、例えばＭＲセンサ等が用いられ、磁束密度の大小、磁束の向きによってオン／オフを判別する。磁気センサ４０９は、不図示のＦＰＣ、基板、及び配線部材等を介してカメラ本体２０２の制御基板に電気的に接続される。また、磁気センサ４０９は、表示ユニット２０１がカメラ本体２０２に対して図２に示す状態にあるとき、回転軸４０５の軸線Ｘを間に挟んで磁石４０８と反対側に配置される。このとき、軸線Ｘと磁気センサ４０９との距離と、軸線Ｘと磁石４０８との距離は、略同一とされている。
【００４４】
裏側カバー４０２は、表示パネル１１２及びシールド板金４１０等を表側カバー４１２との間に配置した状態で表側カバー４１２に係合される。そして、係合状態で、裏側カバー４０２の回動軸４１３側の側面からビス４０６ａ，４０６ｂを支持部材４０７のビス穴５０１ａ，５０１ｂに締め付けることで、裏側カバー４０２がシールド板金４１０及び表側カバー４１２とともに支持部材４０７に固定される。
【００４５】
次に、図８及び図９を参照して、ヒンジ部２０６の外側カバー２０５及び内側カバー２０４について説明する。
【００４６】
図８（ａ）は、外側カバー２０５を内面側から見た斜視図である。図８（ｂ）は、外側カバー２０５を内面側から見た平面図である。図８に示すように、外側カバー２０５の内面側には、ヒンジ機構４０１のベース部材４０４に対する位置決め部６０１、磁石４０８を保持する磁石保持部６０２、係合爪６０３、及び係合凹部６０４が設けられている。
【００４７】
図９（ａ）は、内側カバー２０４を内面側から見た斜視図である。図９（ｂ）は、内側カバー２０４を内面側から見た平面図である。図９に示すように、内側カバー２０４の内面側には、ヒンジ機構４０１のベース部材４０４に対する位置決め部７０１、磁石押さえ部７０２、係合爪７０３、及び係合凹部７０４が設けられている。係合爪７０３は、外側カバー２０５の係合凹部６０４に係合する。係合凹部７０４には、外側カバー２０５の係合爪６０３が係合する。
【００４８】
図１０は、外側カバー２０５の磁石保持部６０２に磁石４０８を取り付けた状態を示す図である。
【００４９】
図１０及び図８（ａ）に示すように、磁石保持部６０２は、磁石４０８の外形の三面を覆った状態で磁石４０８を保持する略コ字状の固定部６０５と、固定部６０５に保持された磁石４０８を固定部６０５側に向けて付勢する可撓部６０６とを有する。
【００５０】
つまり、磁石保持部６０２の固定部６０５と可撓部６０６との間の寸法をＬ１（図８（ｂ））とし、磁石４０８の幅寸法をＬ２（図１０）とすると、Ｌ１＜Ｌ２の関係になる。これにより、磁石４０８の外形寸法にバラツキがあったとしても、かかるバラツキを吸収することが可能となる。そして、磁石４０８は、常に固定部６０５側に押し付けられた状態で磁石保持部６０２に保持される。ここで、外側カバー２０５は、本発明のカバー部材の一例に相当する。
【００５１】
次に、図１１乃至図１３を参照して、ヒンジ機構４０１に外側カバー２０５及び内側カバー２０４を取り付ける方法について説明する。
【００５２】
図１１（ａ）は、ヒンジ機構４０１に内側カバー２０４を取り付けた状態を示す斜視図である。図１１（ｂ）は、ヒンジ機構４０１に内側カバー２０４、外側カバー２０５、及び磁石４０８を取り付けた状態を示す斜視図である。図１２は、図１１（ｂ）のＣ−Ｃ線断面図である。図１３は、図１１（ｂ）のＤ−Ｄ線断面図である。
【００５３】
まず、図１１（ａ）に示すように、ヒンジ機構４０１に、内側カバー２０４を取り付ける。かかる取り付け状態では、ヒンジ機構４０１のベース部材４０４に対して内側カバー２０４が位置決め部７０１で位置決めされる。内側カバー２０４の磁石押さえ部７０２は、ベース部材４０４に形成された貫通穴４１５を貫通してベース部材４０４の内側に突出する。
【００５４】
次に、図１１（ｂ）に示すように、磁石保持部６０２に磁石４０８が保持され、外側カバー２０５をヒンジ機構４０１及び内側カバー２０４に取り付ける。かかる取り付け状態では、ヒンジ機構４０１のベース部材４０４に対して外側カバー２０５が位置決め部６０１で位置決めされる。また、外側カバー２０５の係合凹部６０４に内側カバー２０４の係合爪７０３が係合し、外側カバー２０５の係合爪６０３が内側カバー２０４の係合凹部７０４に係合する。これにより、ヒンジ機構４０１に、外側カバー２０５及び内側カバー２０４が固定される。
【００５５】
このとき、ベース部材４０４の貫通穴４１５を貫通した内側カバー２０４の磁石押さえ部７０２は、図１２及び図１３に示すように、磁石保持部６０２に保持された磁石４０８に対して固定部６０５及び可撓部６０６で覆われていない面に配置される。これにより、磁石４０８がヒンジ機構４０１の所定の位置に位置決め保持された状態で、磁石保持部６０２からの脱落が確実に防止される。
【００５６】
また、外側カバー２０５の磁石保持部６０２は、ヒンジ機構４０１のベース部材４０４に形成された切り欠き部４１４に配置される。これにより、磁石保持部６０２に保持された磁石４０８に対して磁気的な障壁が無くなるため、磁気検出に必要な磁束密度を確保することが可能となる。
【００５７】
次に、図１４乃至図１６を参照して、表示ユニット２０１の回転軸４０５の軸線Ｘ回りの回転動作（反転動作）について説明する。
【００５８】
図１４（ａ）は、表示ユニット２０１が開き状態にあるときのヒンジ機構４０１の斜視図である。開き状態では、ヒンジ機構４０１がカメラ本体２０２に対して図２（ｂ）に示す状態にある。図１４（ｂ）は、図１４（ａ）の側面図である。図１５（ａ）は、表示ユニット２０１が図１４（ａ）に示す状態から矢印Ｇ方向に約１２０°回転したときのヒンジ機構４０１の斜視図である。図１５（ｂ）は、図１５（ａ）の側面図である。図１６（ａ）は、表示ユニット２０１が図１５（ａ）に示す状態から更に回転して約１８０°回転したときのヒンジ機構４０１の斜視図である。図１６（ｂ）は、図１６（ａ）の側面図である。
【００５９】
図１４に示す状態では、磁気センサ４０９が、磁石４０８に対して離間した位置に配置されている。磁石４０８のＮ極から放出された磁力線は、矢印Ｅ方向に進み、支持部材４０７の磁気センサ４０９とは反対側の端部に到達する。支持部材４０７は、上述したように、磁気の影響を受けにくい非磁性材料等で形成されている。このため、磁気センサ４０９は、支持部材４０７に到達した磁気を検出することなく、オフ状態となる。
【００６０】
図１５に示す状態では、磁石４０８のＮ極から矢印Ｆ方向に放出された磁力線は、支持部材４０７に配置された磁気センサ４０９に到達する。そして、磁気センサ４０９は、オン状態を検出する。そして、磁気センサ４０９のオン検出（表示ユニット２０１の回転検出）に基づき、カメラ本体２０２のＣＰＵ１０９は、表示ユニット２０１に表示された動画像を１８０°回転させる。
【００６１】
このとき、磁石４０８のＮ極から放出された磁力線がベース部材４０４に遮断されないのは、切り欠き部４１４に磁石４０８が配置されることで、ベース部材４０４が強磁性体であっても磁力線が引き寄せられることなく、磁界を形成できるからである。これにより、磁石４０８の小型化が可能になる。
【００６２】
また、切り欠き部４１４は、表示ユニット２０１を回転動作した際に、磁気センサ４０９が接近してくる方向に開放されている。このため、磁石４０８の磁界が磁気センサ４０９の検出方向と重なるように形成される。これによって、磁気センサ４０９は磁石４０８の磁界をより検出しやすいい。。表示ユニット２０１の表示画像を１８０°回転させた状態は、図１６に示す状態、ずなわち、表示ユニット２０１が軸線Ｘ回りに１８０°回転するまで維持される。なお、各図の磁力線の向きは一例であり、図示した向きのみに限定されない。
【００６３】
以上説明したように、本実施形態では、ヒンジ部２０６の磁石４０８が配置される部材の材料選択の自由度を高めることができるとともに、磁石４０８の小型化を可能してヒンジ部２０６ひいてはデジタルビデオカメラの小型化を図ることができる。
【００６４】
なお、本発明の構成は、上記実施形態に例示したものに限定されるものではなく、材質、形状、寸法、形態、数、配置箇所等は、本発明の要旨を逸脱しない範囲において適宜変更可能である。
【００６５】
例えば、上記実施形態では、磁気センサ４０９として、ＭＲセンサを例示したが、これに代えて、磁界の向きによる強さを検出する所謂ホール素子などを用いることも可能である。
【００６６】
また、上記実施形態では、支持部材４０７に形成した切り欠き部４１１に磁気センサ４０９を設けることで、表示ユニット２０１の薄型化を実現しているが、必ずしも支持部材４０７に切り欠き部４１１を設ける必要はない。
【００６７】
また、上記実施形態では、支持部材４０７に形成した切り欠き部４１１を凹形状としているが、これに限定されず、例えば、回転軸４０５の軸線Ｘと平行な軸線を有する孔状の切り欠き部４１１であってもよい。
【００６８】
また、上記実施形態では、磁石４０８及び磁気センサ４０９のうちの一方を磁石４０８としてベース部材４０４の切り欠き部４１４に配置し、他方を磁気センサ４０９として支持部材４０７の側に配置した場合を例示したが、これに限定されない。すなわち、ベース部材４０４の切り欠き部４１４に磁気センサ４０９を配置し、支持部材４０７の側に磁石４０８を配置してもよい。
【符号の説明】
【００６９】
２０１  表示ユニット
２０２  カメラ本体
２０６  ヒンジ部
４０１  ヒンジ機構
４０４  ベース部材
４０５  回転軸
４０７  支持部材
４０８  磁石
４０９  磁気センサ
４１４  切り欠き部
６０２  磁石保持部
【図１】
2014123039.tif 000003
【図２】
2014123039.tif 000004
【図３】
2014123039.tif 000005
【図４】
2014123039.tif 000006
【図５】
2014123039.tif 000007
【図６】
2014123039.tif 000008
【図７】
2014123039.tif 000009
【図８】
2014123039.tif 000010
【図９】
2014123039.tif 000011
【図１０】
2014123039.tif 000012
【図１１】
2014123039.tif 000013
【図１２】
2014123039.tif 000014
【図１３】
2014123039.tif 000015
【図１４】
2014123039.tif 000016
【図１５】
2014123039.tif 000017
【図１６】
2014123039.tif 000018